(57)【要約】【課題】袋の開口部の両端部の密封性を向上できると共に、開口部の開閉操作を簡単に行うことができる容器開口封止具およびそれを備えた容器を提供すること。【解決手段】袋本体２と、反転可能な凸状の反りを有する硬質反り部材からなり、袋本体２の開口部８に沿って設けられ、袋本体２の開口部８の両端部から外側に延出した延出部１１を有する板状の容器開口封止具３とを含む、容器１を形成する。この容器１では、容器開口封止具３の反りの反転を利用して袋本体２の開口部８が封止される。【選択図】図２
2015078007.tif 000002
【特許請求の範囲】
【請求項１】
袋本体と、
反転可能な凸状の反りを有する硬質反り部材からなり、前記袋本体の開口部に沿って設けられ、前記袋本体の前記開口部の両端部から外側に延出した延出部を有する板状の容器開口封止具とを含み、
前記容器開口封止具の反りの反転を利用して前記袋本体の前記開口部が封止される、容器。
【請求項２】
前記容器開口封止具に形成された吊り穴または手穴をさらに含む、請求項１に記載の容器。
【請求項３】
前記延出部の延出量は、前記袋本体の幅の０．０５〜０．２倍である、請求項１または２に記載の容器。
【請求項４】
前記容器開口封止具は、前記袋本体の前記開口部に沿う横方向および当該横方向に直交する縦方向の両方向に関して反りを有している、請求項１〜３のいずれか一項に記載の容器。
【請求項５】
前記容器開口封止具の前記横方向に沿う幅と前記縦方向に沿う幅との比（縦／横）が、１／４〜１／２である、請求項４に記載の容器。
【請求項６】
前記容器開口封止具は、前記袋本体の前記開口部に沿う底辺部を有する略三角形板状に形成されており、
前記延出部は、前記略三角形の底辺角部で形成されている、請求項１〜５のいずれか一項に記載の容器。
【請求項７】
前記底辺角部の前記延出部の頂部がアール形状をなしている、請求項６に記載の容器。
【請求項８】
前記容器開口封止具は、前記袋本体の前記開口部に固定された固定部と、前記固定部から前記袋本体の前記開口部の上方に引き出された引き出し部とを含み、
前記前記袋本体の前記開口部は、前記容器開口封止具の反りを反転させることのみによって封止される、請求項１〜７のいずれか一項に記載の容器。
【請求項９】
前記容器開口封止具は、前記袋本体の前記開口部に固定された固定部と、前記固定部から前記袋本体の底側に引き出され、前記袋本体に固定されていない引き出し部とを含み、
前記袋本体の前記開口部は、前記引き出し部を引き起こすことによって前記固定部と前記引き出し部との境界で前記袋本体の前記固定部で固定された部分を折り返し、前記容器開口封止具の反りを反転させることによって封止される、請求項１〜７のいずれか一項に記載の容器。
【請求項１０】
前記袋本体および前記硬質反り部材が合成樹脂からなり、
前記固定部は、合成樹脂の溶着によって形成されている、請求項８または９に記載の容器。
【請求項１１】
袋の開口部を封止するための反転可能な凸状の反りを有する硬質反り部材からなる板状の容器開口封止具であって、
一端および他端を有する所定の長さを有する形状に形成され、袋の開口部に固定するための固定手段が、前記一端および前記他端よりも内側の領域に選択的に設けられた固定部を含む、容器開口封止具。
【請求項１２】
前記一端および前記他端よりも内側の位置に形成され、袋の開口部の端部の位置合わせをするための位置合わせ手段をさらに含む、請求項１１に記載の容器開口封止具。
【発明の詳細な説明】
【技術分野】
【０００１】
本発明は、容器開口封止具およびそれを備える容器に関する。
【背景技術】
【０００２】
従来、袋の開口部を封止する手段として、たとえば、（１）輪ゴム等で縛る、（２）クリップで留める、および（３）凹凸ジッパーを設けることが知られている。これらの手法は、（１）優れた密封性を確保できない、（２）封止のために複数の手順を要するので、開閉操作が複雑になる、および（３）封止のために複数の部材が用いられるので、コストが高くなるという課題がある。
【０００３】
一方、液体容器の排出口の封止機構として、特許文献１および２のように、反転可能な硬質反り部材を排出口の一方面に配置したものがある。
【先行技術文献】
【特許文献】
【０００４】
【特許文献１】特開平９−２４８９号公報
【特許文献２】特開２００５−３１３９５６号公報
【発明の概要】
【発明が解決しようとする課題】
【０００５】
従来の手法では、特に幅の広い開口の場合、開口の両端部の密封性が低いという問題がある。また、特許文献１や２に開示されたように排出口と硬質反り部材の幅が同じである構成では、密封後の再開封操作に困難を伴う場合がある。さらに、液体を排出するために容器の胴部や排出部材の一部を押圧して開封しなければならないため、容器の中身が飛び出すという問題もある。
【０００６】
本発明の目的は、袋の開口部の両端部の密封性を向上できると共に、開口部の開閉操作を簡単に行うことができる容器開口封止具およびそれを備えた容器を提供することである。
【課題を解決するための手段】
【０００７】
上記目的を達成するための請求項１に記載の発明は、袋本体と、反転可能な凸状の反りを有する硬質反り部材からなり、前記袋本体の開口部に沿って設けられ、前記袋本体の前記開口部の両端部から外側に延出した延出部を有する板状の容器開口封止具とを含み、前記容器開口封止具の反りの反転を利用して前記袋本体の前記開口部が封止される、容器である。
【０００８】
この構成によれば、容器開口封止具に延出部が設けられているので、袋本体の開口部の両端部にも中央部と同様に反りの力を良好に伝えることができる。そのため、袋本体の開口部の密封性を高めることができる。また、袋本体の開口部を一旦密封した後に再開封する際には、たとえば、延出部を指で掴んで容器開口封止具の反りを反転させることができるので、再開封操作が容易である。この再開封操作は、反りを反転させるために袋本体に圧力を加えるという操作を省略できるので、開封の際に袋本体の中身が飛び出るようなことを防止することができる。
【０００９】
請求項２に記載の発明は、前記容器開口封止具に形成された吊り穴または手穴をさらに含む、請求項１に記載の容器である。
この構成によれば、容器をフックに引っ掛けて保管したり、手で持って運んだりすることができる。
請求項３に記載の発明は、前記延出部の延出量は、前記袋本体の幅の０．０５〜０．２倍である、請求項１または２に記載の容器である。
【００１０】
この構成によれば、袋本体の開口部の外側にはみ出た延出部が邪魔にならず、かつ上記した密封性の向上、開封性の容易性等の効果を良好に実現することができる。
請求項４に記載の発明は、前記容器開口封止具は、前記袋本体の前記開口部に沿う横方向および当該横方向に直交する縦方向の両方向に関して反りを有している、請求項１〜３のいずれか一項に記載の容器である。
【００１１】
この構成によれば、横方向および縦方向の二方向に反りを有しているので、容器開口封止具に外力を加えて反りを積極的に反転させない限り、容器開口封止具全体の反りの形状を良好に維持することができる。
請求項５に記載の発明は、前記容器開口封止具の前記横方向に沿う幅と前記縦方向に沿う幅との比（縦／横）が、１／４〜１／２である、請求項４に記載の容器である。
【００１２】
この構成によれば、容器開口封止具に対して、横方向および縦方向の二方向に沿う反りを簡単に付与することができる。
請求項６に記載の発明は、前記容器開口封止具は、前記袋本体の前記開口部に沿う底辺部を有する略三角形板状に形成されており、前記延出部は、前記略三角形の底辺角部で形成されている、請求項１〜５のいずれか一項に記載の容器である。
【００１３】
この構成によれば、たとえば四角形板状に形成する場合に比べて面積が少なくて済むので、使用する硬質反り部材の量を減らすことができる。そのため、コストを低く抑えることができる。
請求項７に記載の発明は、前記底辺角部の前記延出部の頂部がアール形状をなしている、請求項６に記載の容器である。
【００１４】
この構成によれば、底辺角部に手や指が接触してケガをすることを防止することができる。
請求項８に記載の発明は、前記容器開口封止具は、前記袋本体の前記開口部に固定された固定部と、前記固定部から前記袋本体の前記開口部の上方に引き出された引き出し部とを含み、前記前記袋本体の前記開口部は、前記容器開口封止具の反りを反転させることのみによって封止される、請求項１〜７のいずれか一項に記載の容器である。
【００１５】
この構成によれば、容器開口封止具の反りを反転させるだけで、袋本体の開口部を簡単に封止することができる。
請求項９に記載の発明は、前記容器開口封止具は、前記袋本体の前記開口部に固定された固定部と、前記固定部から前記袋本体の底側に引き出され、前記袋本体に固定されていない引き出し部とを含み、前記袋本体の前記開口部は、前記引き出し部を引き起こすことによって前記固定部と前記引き出し部との境界で前記袋本体の前記固定部で固定された部分を折り返し、前記容器開口封止具の反りを反転させることによって封止される、請求項１〜７のいずれか一項に記載の容器である。
【００１６】
この構成によれば、袋本体の折り返し部分においても開口部が密封されるので、容器の密封性を一層向上させることができる。
請求項１０に記載の発明は、前記袋本体および前記硬質反り部材が合成樹脂からなり、前記固定部は、合成樹脂の溶着によって形成されている、請求項８または９に記載の容器である。
【００１７】
この構成によれば、容器開口封止具を簡単かつ確実に、袋本体に固定することができる。
請求項１１に記載の発明は、袋の開口部を封止するための反転可能な凸状の反りを有する硬質反り部材からなる板状の容器開口封止具であって、一端および他端を有する所定の長さを有する形状に形成され、袋の開口部に固定するための固定手段が、前記一端および前記他端よりも内側の領域に選択的に設けられた固定部を含む、容器開口封止具である。
【００１８】
固定手段が設けられた領域に収まるように袋を固定することによって、その袋の開口部の両端部よりはみ出た部分を、容器開口封止具の延出部とすることができる。この延出部が設けられることによって、袋の開口部の両端部にも中央部と同様に反りの力を良好に伝えることができる。そのため、袋の開口部の密封性を高めることができる。また、袋の開口部を一旦密封した後に再開封する際には、たとえば、延出部を指で掴んで容器開口封止具の反りを反転させることができるので、再開封操作が容易である。この再開封操作は、反りを反転させるために袋に圧力を加えるという操作を省略させるので、開封の際に袋の中身が飛び出るようなことを防止することができる。
【００１９】
請求項１２に記載の発明は、前記一端および前記他端よりも内側の位置に形成され、袋の開口部の端部の位置合わせをするための位置合わせ手段をさらに含む、請求項１１に記載の容器開口封止具である。
この構成によれば、容器開口封止具に延出部を設けるための袋の位置合わせを簡単に行うことができる。
【図面の簡単な説明】
【００２０】
【図１】図１（ａ）〜（ｄ）は、本発明の第１実施形態に係る容器（開状態）の構成を説明するための図である。図１（ａ）〜（ｄ）は、それぞれ、斜視図、正面図、上面図および側面図である。
【図２】図２（ａ）〜（ｄ）は、本発明の第１実施形態に係る容器（閉状態）の構成を説明するための図である。図２（ａ）〜（ｄ）は、それぞれ、斜視図、正面図、上面図および側面図である。
【図３】図３（ａ）〜（ｄ）は、本発明の第２実施形態に係る容器（開状態）の構成を説明するための図である。図３（ａ）〜（ｄ）は、それぞれ、斜視図、正面図、上面図および側面図である。
【図４】図４（ａ）〜（ｄ）は、本発明の第２実施形態に係る容器（閉状態）の構成を説明するための図である。図４（ａ）〜（ｄ）は、それぞれ、斜視図、正面図、上面図および側面図である。
【図５】図５は、本発明の第３実施形態に係る容器開口封止具の構成を説明するための図である。
【発明を実施するための形態】
【００２１】
以下では、本発明の実施の形態を、添付図面を参照して詳細に説明する。
図１（ａ）〜（ｄ）は、本発明の第１実施形態に係る容器１（開状態）の構成を説明するための図である。図１（ａ）〜（ｄ）は、それぞれ、斜視図、正面図、上面図および側面図である。図２（ａ）〜（ｄ）は、本発明の第１実施形態に係る容器１（閉状態）の構成を説明するための図である。図２（ａ）〜（ｄ）は、それぞれ、斜視図、正面図、上面図および側面図である。
【００２２】
容器１は、袋本体２と、容器開口封止具３とを含む。
袋本体２は、たとえば、各種合成樹脂フィルムを用いて、上縁４、側縁５，６および下縁７を有する扁平な四角形袋状に形成されている。この実施形態では、袋本体２の上縁４が開封可能となっており、この上縁４から下縁７側の一定幅の領域が開口部８となっている。
【００２３】
袋本体２に使用される合成樹脂としては、たとえば、ポリエステル樹脂、ポリスチレン樹脂、ポリプロピレン樹脂、ポリエチレン樹脂等が挙げられる。
容器開口封止具３は、反転可能な凸状の反りを有する硬質反り部材からなる板状に形成されている。その厚さは、たとえば、０．５ｍｍ〜１．５ｍｍである。硬質反り部材としては、袋本体２と同様の合成樹脂が用いられることが好ましい。袋本体２および容器開口封止具３のいずれもが合成樹脂であれば、後述するように、合成樹脂同士の融着によって、容器開口封止具３を簡単かつ確実に、袋本体２に固定することができる。
【００２４】
容器開口封止具３は、この実施形態では、互いに等しい長さの等辺、および各等辺および袋本体２の幅（側縁５，６間の長さ）よりも長い底辺を有する略二等辺三角形状に形成されている。三角形の底辺から頂角側の一定幅の領域が、本発明の底辺部および固定部の一例としての融着部９である。融着部９を介して、容器開口封止具３が袋本体２の開口部８の片側の外面に融着されている。これにより、容器開口封止具３は、三角形の底辺部である融着部９よりも頂部側の領域が引き出し部１０として上方に突き出た姿勢で袋本体２に固定されている。
【００２５】
反りに関して、容器開口封止具３は、図１（ｃ）（ｄ）に示すように、袋本体２の開口部８に沿う横方向ＤＷおよび当該横方向ＤＷに直交する縦方向ＤＬの両方向に関して反りを有している。これにより、容器開口封止具３は、略二等辺三角形の重心Ｇを底部とする略器形状となるように、横方向ＤＷおよび縦方向ＤＬの両方向に弓形に反っている。このような形状の容器開口封止具３は、たとえば、横方向ＤＷに沿う幅Ｗと縦方向ＤＬに沿う幅Ｌとの比（縦Ｌ／横Ｗ）が、１／４〜１／２であることが好ましい。容器開口封止具３を横方向ＤＷおよび縦方向ＤＬの両方向に反らせておくことによって、容器開口封止具３に外力を加えて反りを積極的に反転させない限り、容器開口封止具３全体の反りの形状を良好に維持することができる。
【００２６】
また、容器開口封止具３は固定された状態において、袋本体２の開口部８の両端部（つまり、両側縁５，６）から外側に延出した延出部１１を有している。この実施形態では、容器開口封止具３が略三角形板状であることから、延出部１１は、三角形の底辺角部で形成されているが、その頂部はアール形状をなしている。これにより、容器開口封止具３の延出部１１に手や指が接触してケガをすることを防止することができる。
【００２７】
延出部１１の延出量（袋本体２の両側縁５，６からの突出量）は、袋本体２の幅の０．０５〜０．２倍であることが好ましい。たとえば、袋本体２の幅が１５ｃｍ〜２５ｃｍである場合、延出部１１の延出量は、０．７５ｃｍ〜５ｃｍである。延出部１１の延出量が上記範囲であれば、通常使用時において、袋本体２の開口部８の外側にはみ出た延出部１１が邪魔になることが少ない。
【００２８】
また、容器開口封止具３には、引き出し部１０の頂部に開口１２が形成されている。開口１２は、たとえば、吊り穴や手穴として使用できる。そのため、容器１をフックに引っ掛けて保管したり、手で持って運んだりすることができる。
また、容器開口封止具３の融着部９の下縁は、開口１２の反対側の底辺中央に向かって緩やかに傾斜した形状となっている。
【００２９】
また、容器開口封止具３には、融着部９と引き出し部１０との境界にライン状の開口１３が形成されている。開口１３は、融着部９の長手方向中央に対して一方側および他方側それぞれに一つずつ形成されている。この実施形態では、開口１２が開口部８よりも上方に露出するように形成されているので、開口１３は、袋本体２の上縁４に沿って形成されることとなる。
【００３０】
この実施形態の容器１によれば、初期状態では溶着等によって閉じられている開口部８が開封されると、図１に示すように、容器開口封止具３がその反り特性によって外方（溶着面と反対の方向）に向かって反った形状に保持され、これによって開口部８の「開状態」が維持される。これにより使用者は、容器１の中に入っている内容物を取り出すことができる。
【００３１】
一方、一旦開封された容器１を再び密封したいときには、容器開口封止具３の反りを反転させれば、図２に示すように、容器開口封止具３に密着した袋本体２の一方の面が、容器開口封止具３の反りの反転に伴って他方の面に密着し、これによって開口部８が「閉状態」とされる。
そして、この実施形態の容器１によれば、容器開口封止具３に延出部１１が設けられているので、袋本体２の開口部８の側縁５，６付近にも中央部と同様に反りの力を良好に伝えることができる。そのため、袋本体２の開口部８の密封性を高めることができる。また、袋本体２の開口部８を一旦密封した後に再開封する際には、たとえば、延出部１１を指で掴んで容器開口封止具３の反りを反転させることができるので、再開封操作が容易である。この再開封操作は、反りを反転させるために袋本体２に圧力を加えるという操作を省略させるので、開封の際に袋本体２の中身が飛び出るようなことを防止することができる。しかも、袋本体２の開口部８を封止するために、容器開口封止具３の反りを反転させるだけでよいので、袋本体２の開口部８を簡単に封止することができる。
【００３２】
また、容器開口封止具３が略三角形板状に形成されているので、たとえば四角形板状に形成する場合に比べて面積が少なくて済む。そのため、使用する硬質反り部材の量を減らすことができるので、コストを低く抑えることができる。
なお、略三角形状の容器開口封止具３において、底辺の一部（好ましくは頂点と対向する部位）を若干突出させることによって、強度アップを図ることもできる。
【００３３】
図３（ａ）〜（ｄ）は、本発明の第２実施形態に係る容器２１（開状態）の構成を説明するための図である。図３（ａ）〜（ｄ）は、それぞれ、斜視図、正面図、上面図および側面図である。図４（ａ）〜（ｄ）は、本発明の第２実施形態に係る容器２１（閉状態）の構成を説明するための図である。図４（ａ）〜（ｄ）は、それぞれ、斜視図、正面図、上面図および側面図である。図３および図４において、前述の図１および図２との相互間で互いに対応する要素には同一の参照符号を付して示す。
【００３４】
図３および図４の容器２１が前述の容器１と異なる点は、容器開口封止具３が袋本体２に対して反対向きに取り付けられていることである。より具体的には、容器開口封止具３は、引き出し部１０が融着部９に対して袋本体２の底側に向いて、開口１２が袋本体２の外面に向き合う姿勢で固定されている。この実施形態では、融着部９は、その下縁が袋本体２の上縁４と一致した位置で袋本体２に融着されている。
【００３５】
この実施形態の容器２１によれば、初期状態では溶着等によって閉じられている開口部８が開封されると、図３に示すように、容器開口封止具３がその反り特性によって外方（溶着面と反対の方向）に向かって反った形状に保持され、これによって開口部８の「開状態」が維持される。これにより使用者は、容器２１の中に入っている内容物を取り出すことができる。
【００３６】
一方、一旦開封された容器２１を再び密封したいときには、まず、引き出し部１０を引き起こすことによって、融着部９と引き出し部１０との境界（この実施形態では、開口１３）で袋本体２の融着部９で固定された部分（折り返し部分２２）を折り返す。そして、容器開口封止具３の反りを反転させれば、図４に示すように、容器開口封止具３に密着した袋本体２の折り返し部分２２が、容器開口封止具３の反りの反転に伴って他方の面に密着し、これによって開口部８が「閉状態」とされる。
【００３７】
この実施形態の容器２１によっても、前述の容器１と同様に、容器開口封止具３に延出部１１が設けられているので、袋本体２の開口部８の側縁５，６付近にも中央部と同様に反りの力を良好に伝えることができ、袋本体２の開口部８の密封性を高めることができる。しかも、袋本体２の折り返し部分２２においても開口部８が密封されるので、容器２１の密封性を一層向上させることができる。
【００３８】
さらに、袋本体２の開口部８を一旦密封した後に再開封する際には、たとえば、延出部１１を指で掴んで容器開口封止具３の反りを反転させることができるので、再開封操作が容易である。この再開封操作は、反りを反転させるために袋本体２に圧力を加えるという操作を省略できるので、開封の際に袋本体２の中身が飛び出るようなことを防止することができる。
【００３９】
図５は、本発明の第３実施形態に係る容器開口封止具３１の構成を説明するための図である。図５において、前述の図１および図２との相互間で互いに対応する要素には同一の参照符号を付して示す。
図５の容器開口封止具３１は、前述の容器開口封止具３と異なり、袋本体２に対して取り外し自在である。容器開口封止具３１は、容器開口封止具３と同様に、反転可能な凸状の反りを有する硬質反り部材からなる略三角形板状に形成され、厚さも同じである。
【００４０】
容器開口封止具３１は、三角形の底辺部の一端および他端それぞれから一定幅内側に入り込んだ位置に形成された、本発明の位置合わせ手段の一例としての切り欠き部３２と、一対の切り欠き部３２で挟まれた領域に選択的に設けられた本発明の固定部の一例としてのクリップ部３３とを含む。クリップ部３３は、たとえば、容器開口封止具３１の一部を略Ｕ字状に切り欠くことによって残ったＵ字の内側部分で構成されている。
【００４１】
使用者は、袋本体２が一対の切り欠き部３２で挟まれた領域に収まるように確認しながら、袋本体２の開口部８をクリップ部３３で挟み込むことによって、容器開口封止具３１を袋本体２にセットすることができる。セットした状態において、容器開口封止具３１の切り欠き部３２よりも外側にはみ出た部分が、前述の延出部１１となる。セット後は、前述の容器１と同様に、容器開口封止具３１の反りを反転させることによって、袋本体２の開口部８を「閉状態」にすることができる。
【００４２】
このような取り外し自在な容器開口封止具３１であっても、所定の形状に形成しておくことによって、袋本体２と一体となったときに延出部１１を形成することができる。そのため、前述の容器１と同様に、袋本体２の開口部８の側縁５，６付近にも中央部と同様に反りの力を良好に伝えることができ、袋本体２の開口部８の密封性を高めることができる。
【００４３】
なお、前記位置合わせ手段の別の例としては、切り欠き部３２に相当する位置に、容器開口封止具３と異なる色で印を付与することが挙げられる。
以上、本発明の実施形態について説明したが、本発明はさらに他の形態で実施することもできる。
たとえば、前述の実施形態では、容器開口封止具３，３１が略三角形板状である場合のみを例示したが、容器開口封止具３，３１は、四角形板状であってもよい。
【００４４】
また、容器開口封止具３，３１を袋本体２に固定する手段は、前述の融着部９およびクリップ部３３に限らず、たとえば、接着剤、接着テープ等であってもよい。
また、容器開口封止具３１は、たとえばクリップ部３３の切り欠きの方向を反対向きにすることによって、第２実施形態の容器２１と同様に、引き出し部１０が袋本体２の底側に向く姿勢で取り付けられる構成にすることもできる。
【００４５】
また、容器開口封止具３１に設けられる袋本体２の位置合わせ手段は、たとえば、容器開口封止具３１の反り特性に影響を与えない程度の突起であってもよい。
その他、特許請求の範囲に記載された事項の範囲で種々の設計変更を施すことが可能である。
【符号の説明】
【００４６】
１  容器
２  袋本体
３  容器開口封止具
４  上縁
５  側縁
６  側縁
７  下縁
８  開口部
９  融着部
１０  引き出し部
１１  延出部
１２  開口
１３  開口
２１  容器
３１  容器開口封止具
３２  切り欠き部
３３  クリップ部
【図１】
2015078007.tif 000003
【図２】
2015078007.tif 000004
【図３】
2015078007.tif 000005
【図４】
2015078007.tif 000006
【図５】
2015078007.tif 000007